(57)【特許請求の範囲】
【請求項１】
外刃の内面に沿って摺動して毛を切断する逆Ｕ字状の複数の刃片を有する内刃体と、内刃体を支持する内刃継手とを備えた往復式電気かみそりの内刃において、上記内刃継手には上記複数の刃片のいずれかに接続されて毛の切断時に剃り音を発生させる複数枚の振動板と、各振動板を支持する支持部とが設けられ、支持部を各振動板の夫々の一点を支持する一点支持構造としたことを特徴とする往復式電気かみそりの内刃。
【請求項２】
上記支持部は、各振動板の下端中央を夫々一点支持する中央一点支持構造であることを特徴とする請求項１記載の往復式電気かみそりの内刃。
【請求項３】
上記支持部は、各振動板の下端の前後両側のいずれか片側を夫々一点支持する片側一点支持構造であることを特徴とする請求項１記載の往復式電気かみそりの内刃。
【請求項４】
上記支持部の下側に空間を形成したことを特徴とする請求項１乃至３のいずれか一項に記載の往復式電気かみそりの内刃。
【発明の詳細な説明】
【技術分野】
【０００１】
本発明は、往復式電気かみそりの内刃に関し、詳しくは内刃継手に複数の振動板を設けた構造に関するものである。
【背景技術】
【０００２】
従来では、例えば図９に示すように、内刃継手４に設けた支持部４１に振動板４０を取り付け、振動板４０の頂部を内刃体３のいずれかの刃片３０に接続し、髭剃り時に振動板４０が振動することで、心地よい振動音（剃り音）を発生させるようにした往復式電気かみそりの内刃が知られている（例えば、特許文献１参照）。
【０００３】
ところが上記特許文献１に見られる従来例では、振動板４０の下端両側Ｐ３，Ｐ４が前後２本の支持部４１に対して二点支持されており、このため振動板４０の振動が２本の支持部４１により規制されて振動板４０を大きく振動させるのに限界があり、このため従来では心地よい剃り音を大きくしたいとの要望に十分に応えられないものであった。
【特許文献１】特開平７−２２２８８０号公報
【発明の開示】
【発明が解決しようとする課題】
【０００４】
本発明は上記の従来の問題点に鑑みて発明したものであって、内刃継手の支持部により支持される振動板の自由度が高まり、心地よい剃り音をできる限り大きくできると共に、振動板の下側に髭くずが溜まりにくい往復式電気かみそりの内刃を提供することを課題とするものである。
【課題を解決するための手段】
【０００５】
前記課題を解決するために本発明にあっては、外刃１の内面に沿って摺動して毛を切断する逆Ｕ字状の複数の刃片３０を有する内刃体３と、内刃体３を支持する内刃継手４とを備えた往復式電気かみそりの内刃において、上記内刃継手４には上記刃片３０のいずれかに接続されて毛の切断時に剃り音を発生させる複数枚の振動板４０と、各振動板４０を支持する支持部４１とが設けられ、支持部４１を各振動板４０の夫々の一点を支持する一点支持構造としたことを特徴としている。
【０００６】
このような構成とすることで、髭剃り時に複数の刃片３０が髭が切断する際に刃片３０に連結された振動板４０が振動して心地よい剃り音が発生する。しかも各振動板４０は支持部４１により一点支持されているので、支持部４１に対する各振動板４０の自由度が高まり、従来の二点支持構造と比較して、振動板４０の振動量を増大させることができる結果、使用者にとって心地よい剃り音をできる限り大きなものとすることができる。しかも振動板４０を一点支持する支持部４１を細く形成できるので、振動板４０の下側に髭くずが溜まりにくくなる。
【０００７】
また、上記支持部４１は、各振動板４０の下端中央Ｐ１を夫々一点支持する中央一点支持構造であるのが好ましく、この場合、振動板４０の支持を安定化させることができる。
【０００８】
また、上記支持部４１は、各振動板４０の下端の前後両側のいずれか片側Ｐ２を夫々一点支持する片側一点支持構造であるのが好ましく、この場合、支持部４１を片側に寄せることで振動板４０の下側に髭くずが一層溜まりにくくできると共に、片側一点支持される振動板４０は、その振動のモーメントが大きくなり、より大きな振動が得られるようになる。
【０００９】
また、上記支持部４１の下側に空間７０を形成するのが好ましく、この場合、髭くずを空間７０に落下させることにより、振動板４０やその支持部４１周辺に髭くずが溜まりにくくなる。
【発明の効果】
【００１０】
本発明は、内刃継手の支持部により複数の振動板を夫々一点支持構造としたことにより、各振動板の自由度が高まり、振動板の振動量を増大させることができる結果、使用者にとって心地よい剃り音をできる限り大きくできると共に、振動板の下側に髭くずが溜まりにくい往復式電気かみそりの内刃が得られる。
【発明を実施するための最良の形態】
【００１１】
以下、本発明を添付図面に示す実施形態に基いて説明する。
【００１２】
本例の往復式電気かみそりのへッド部には、例えば図８に示すように、各々が独立してフロート自在な４枚の刃ヘッド２１〜２４が着脱自在に取り付けられている。このうち、中央には２枚の補助刃ヘッド２３，２４が並んで配置され、その両外側に２枚のアーチ状の仕上げ剃り用主刃ヘッド２１，２２が夫々配置されている。
【００１３】
図８において、２枚の仕上げ剃り主刃ヘッド２１，２２は、従来と同様、外刃２５Ａ、外刃枠２６Ａ、内刃２７Ａ、内刃継手２８Ａ、外刃カバー２９Ａ等で構成されている。
【００１４】
また、２枚の補助刃ヘッド２３，２４の一方が、アーチ状の仕上げ剃り刃ブロック６で構成され、他方がスリット刃１Ａと内刃３Ａと内刃継手４Ａ等を備えた粗剃り用刃ブロック１８で構成されている。
【００１５】
以下、補助刃ヘッド２３を構成する仕上げ剃り刃ブロック６について説明する。なお以下において、内刃の往復駆動する方向を長手方向Ａ又は左右方向とし、この方向と直交する方向を前後方向Ｂとする。
【００１６】
仕上げ剃り刃ブロック６は、図２に示すように、多数の刃孔を有する金属薄板から成る外刃１（ネット刃）と、外刃１を固定する外刃枠２とからなる外刃ブロック６Ａと、外刃１の下面に配置される内刃体３と、内刃体３を駆動側に連結する内刃継手４と、内刃体３を外刃１の内面に向けて押圧する内刃押上バネ５とからなる内刃ブロック６Ｂとで構成される。
【００１７】
上記外刃枠２の前後両下面にヒートシールボス２７が突設され、外刃１をアーチ状に湾曲させて外刃１の前後両下面に夫々設けた係合孔２８をヒートシールボス２７に嵌め込んだ状態で、外刃１と外刃枠２とがヒートシール固定されるようになっている。
【００１８】
内刃体３は板金をプレス曲げして全体をアーチ状に形成したものであって、上に凸の断面略円弧状を成す上側部分にスリット孔２９を複数形成することで逆Ｕ字状の刃片３０が複数並設させたものであり、その前後両下端から夫々下方に延設される下側部分には、その中央側に切欠部３１を夫々凹設し、切欠部３１の左右両側に、下側に開口した略円形状の円凹部３２を夫々凹設し、さらに両外側に下方に開口した略矩形状の角凹部３３を夫々凹設している。
【００１９】
内刃継手４の下部中央にはかみそり本体の駆動子側に着脱自在に連結される連結凹部３４が設けられている。内刃継手４の前後方向Ｂを向く両面には夫々、角柱状の角凸部３５と円筒状のヒートシールボス３６とが並べて突設されている。そして、内刃体３の下方から内刃継手４を内部に挿入すると共に、内刃継手４のヒートシールボス３６を内刃体３の円凹部３２に嵌め込んで位置決めした状態で、ヒートシールボス３６をヒートシールすることで行われる。加えて、内刃体３に内刃継手４を装着した状態では内刃体３の角凹部３３に内刃継手４の角凸部３５が嵌合することで、内刃継手４に対する内刃３の左右の位置決めが行なわれる。図１中の６０はバネ受け部である。
【００２０】
また、上記仕上げ剃り刃ブロック６は、図１に示すガイド枠８を介して、かみそり本体に設けられる保持枠７に対してフロート自在に保持されるようになっている。
【００２１】
ガイド枠８は、長手方向Ａ両端に位置する一対の枠部１２と、一対の枠部１２を互いに連結する連結部１３とが一体に形成されており、一対の枠部１２の内面に夫々結合部９が設けられ、各枠部１２の外面に夫々保持枠７にフロート自在に保持されるガイド突起４５が設けられ、各枠部１２の下端から長手方向Ａに延びる底面部に夫々バネ受け部１０が設けられている。
【００２２】
さらに各枠部１２の外側面には、夫々、カバー片４３が設けられている。各カバー片４３の内面には縦リブ４４が形成され、カバー片４３と対向する枠部１２の外面にはガイド突起４５が突設され、一方、保持枠７には上記縦リブ４４が上方(図２（ｂ）の矢印方向)から挿入される上方に開放された凹溝４６と、ガイド突起４５が係合する係合突起４８が設けられている。そして、各枠部１２の縦リブ４４が外刃枠２の凹溝４６に沿ってフロート自在とされると共にガイド突起４５と係合突起４８との係止によってガイド枠８が保持枠７から簡単に外れない状態で組み立てられる。
【００２３】
上記ガイド枠８の連結部１３は、ガイド枠８の長手方向Ａと直交する前後方向Ｂ両側に夫々配置される１本以上の壁１３ａ，１３ｂで構成されている。各壁１３ａ，１３ｂの長手方向Ａの一端は一方の枠部１２の底面部に夫々連設され、各壁１３ａ，１３ｂの長手方向Ａの他端は他方の枠部１２の底面部に夫々連設されている。図１の例では、前側の１本の壁１３ａと後側の１本の壁１３ｂの計２本で構成されており、２本の壁１３ａ，１３ｂ間に、外刃１を固定した外刃枠２が配置されるようになっている。なお壁１３ａ，１３ｂの数は特に限定されず、適宜変更自在である。
【００２４】
また上記ガイド枠８の結合部９は、図１に示すように、ガイド枠８の長手方向Ａ両端から内方に突出する爪状に形成されており、外刃枠２の長手方向Ａ両端に設けたフック４７を爪状の結合部９に引っ掛けることで、外刃枠２とガイド枠８とを結合するようにしている。
【００２５】
上記構成の仕上げ剃り刃ブロック６（外刃ブロック６Ａ、内刃ブロック６Ｂ）を組み立てるにあたっては、予め、外刃１と外刃枠２とをヒートシール固定して外刃ブロック６Ａを組み立てておく。従って、外刃１と保持枠７との組立時に外刃１に内刃押上バネ５からのバネ付勢力が加わることがないため、剛性の高い外刃１は勿論のこと、剛性の低い外刃１であっても変形させることなく外刃１と外刃枠２の結合が可能となり、外刃ブロック６Ａの組立を簡単に行なうことができる。その後、ガイド枠８のバネ受け部１０にて内刃押上バネ５の下端を支持し、内刃押上バネ５の上端を内刃体３と一体に固着された内刃継手４のバネ受け部６０に嵌め込んだ状態で、内刃体３の上に上記外刃ブロック６Ａの外刃１を被せるようにして、外刃枠２の長手方向Ａ両端に設けたフック４７をガイド枠８の長手方向Ａ両端に設けた爪状の結合部９に結合させることにより、仕上げ剃り刃ブロック６が完成する。
【００２６】
ここで本発明においては、上記内刃継手４の上部に、図１に示すように、複数枚の振動板４０と、これらの振動板４０を支持する１本の支持部４１とが設けられている。複数の振動板４０は、内刃体３に設けた複数の刃片３０のうちの数本(例えば４〜６本)の刃片３０の下方に垂直に配置されている。各振動板４０は、逆Ｕ字状の刃片３０の内面に沿って屈曲した逆Ｕ字状に夫々形成されており、さらに図３〜図６に示すように、各振動板４０の頂部上端には夫々、左右一対の突片４２が設けられており、これら左右一対の突片４２で１枚の刃片３０の頂部下面を左右から挟み込むことによって、１枚の振動板４０の上端と該振動板４０と対向する１枚の刃片３０の頂部下面とが左右方向（つまり内刃体３の往復駆動方向）に連結固定されている。さらに、各振動板４０の下端部は夫々、内刃継手４の１本の支持部４１に一体成形されている。ここでは、各振動板４０の下端中央Ｐ１を夫々一点支持する中央一点支持構造を有しており、これにより、振動板４０の自由度が高められ、髭剃り時に内刃体３の刃片３０が髭が切断する際に刃片３０に連結された振動板４０が振動して心地よい振動音（剃り音）を発生させる仕組みとなっている。
【００２７】
しかして、髭剃り時に内刃体３の刃片３０が髭が切断する際に刃片３０に連結された振動板４０が振動して心地よい剃り音を発生させるものであるが、本例の振動板４０は１本の支持部４１による一点支持構造となっているので、支持部４１に対する各振動板４０の自由度が高まり、従来の二点支持構造と比較して、振動板４０の振動量を増大させることができる結果、使用者にとって心地よい剃り音をできる限り大きなものとすることができる。また本例では、振動板４０の下端中央Ｐ１を一点支持しているので、支持部４１による振動板４０の支持がより安定化する利点がある。
【００２８】
しかも、振動板４０の下端を一点支持する１本の支持部４１を細く形成できるので、つまり、１本の棒状体で形成できるので、髭くずが支持部４１上に溜まりにくくなる。しかも図３、図５に示すように、振動板４０の支持部４１の下側に空間７０を形成したことによって、髭くずを空間７０に逃がすことができるようになるので、結果、振動板４０の下側に髭くずが溜まるのを確実に防止できるという利点もある。
【００２９】
前記実施形態では、振動板４０の中央一点支持構造を説明したが、他の実施形態として、図７に示すように、振動板４０の支持部４１を振動板４０の前後両側のいずれか片側に寄せて配置し、振動板４０の下端片側Ｐ２を一点支持する片側一点構造としてもよい。他の構成は前記実施形態と同様である。本例では、支持部４１が片側に寄せて配置されることで振動板４０の下側の開口部が広がり、髭くずが溜まりにくくなる効果に加えて、片側一点支持される振動板４０は、片側一点Ｐ２から突片４２までの距離が長くなることで、その振動のモーメントが大きくなり、より大きな振動が得られる効果もある。
【００３０】
本実施形態の往復式電気かみそりの刃ヘッドとして、図１０に示す２枚の主刃ヘッド２１，２２間に２枚の補助刃ヘッド２３，２４を配置した４枚刃を例示したが、これに限定されず、例えば２枚の主刃ヘッド２１，２２間に１枚の補助刃ヘッド２３又は２４を配置した３枚刃であってもよい。いずれの場合においても、振動板４０を支持する内刃継手４を備えた補助刃ヘッド２３（又は２４）を用いることによって、大きな心地よい剃り音を発生させることができる。
【図面の簡単な説明】
【００３１】
【図１】本発明の一実施形態に用いる内刃体と、振動板とこれを支持する支持部とを備えた内刃継手の分解斜視図である。
【図２】（ａ）は同上の内刃体と内刃継手とを備える内刃ブロックと、外刃ブロックと、これらをガイドするガイド枠との分解斜視図、（ｂ）は同上のガイド枠を保持する保持枠の斜視図である。
【図３】同上の内刃継手の斜視図である。
【図４】同上の内刃継手の平面図である。
【図５】同上の内刃継手の側面図である。
【図６】同上の内刃継手の縦断面図である。
【図７】本発明の他の実施形態を示す支持部を片側に寄せた場合の内刃継手の縦断面図である。
【図８】同上の往復式電気かみそりの刃ヘッドが４枚刃である場合において、そのうちの２枚の主刃ヘッドにおける内刃継手に振動板を取り付けた場合を説明する分解斜視図である。
【図９】従来例の説明図である。
【符号の説明】
【００３２】
１  外刃
２  外刃枠
３  内刃体
４  内刃継手
３０  刃片
４０  振動板
４１  支持部
７０  空間
Ｐ１  振動板の下端中央
Ｐ２  振動板の下端片側
【図１】
0004595968.tif 000002
【図２】
0004595968.tif 000003
【図３】
0004595968.tif 000004
【図４】
0004595968.tif 000005
【図５】
0004595968.tif 000006
【図６】
0004595968.tif 000007
【図７】
0004595968.tif 000008
【図８】
0004595968.tif 000009
【図９】
0004595968.tif 000010